【手続補正書】
【提出日】平成19年9月20日(2007.9.20)
【手続補正１】
【補正対象書類名】明細書
【補正対象項目名】特許請求の範囲
【補正方法】変更
【補正の内容】
【特許請求の範囲】
【請求項１】  眼中の収差を測定するための波面分析システムであって、
眼（４０）の網膜上に供給される干渉性の光を生成する投影光学システム（１２，１４，１６，１８）と、
投影光学システムと眼（４０）との間に位置決めされ、眼（４０）の収差に関して眼（４０）の網膜上に供給される干渉性の光を補償する前補正システム（３０）と、
網膜によって散乱された光を集める結像システム（３０）と、
網膜によって戻された光を結像システムから受けて、受けた光の波面の振幅および位相を検出する波面センサ（５０）とを備えるシステム。
【請求項２】  波面センサ（５０）は、シャック−ハルトマン波面センサである請求項１のシステム。
【請求項３】  波面センサ（５０）は、シアリング干渉計である請求項１のシステム。
【請求項４】  波面センサ（５０）は、モアレ・デフレクトメータである請求項１のシステム。
【請求項５】  前補正システム（３０）は、少なくとも１つの可動レンズ（３２）を有する望遠鏡を備える請求項１のシステム。
【請求項６】  前補正システム（３０）は、中間像面に挿入された固定レンズ（５１）を備える請求項１のシステム。
【請求項７】  前補正システム（３０）は、補償光学素子を備える請求項１のシステム。
【請求項８】  前補正システム（３０）は、眼（４０）の焦点誤差を矯正する請求項１のシステム。
【請求項９】  前補正システム（３０）は、焦点および非点収差を矯正する請求項１のシステム。
【請求項１０】  波面分析システムの角度的ダイナミックレンジを制限する絞り（３６）をさらに備える請求項１のシステム。
【請求項１１】  眼（４０）と波面センサ（５０）との間に偏光ビームスプリッタ（２２）をさらに備える請求項１のシステム。
【請求項１２】  波面分析システムの適切な眼（４０）アライメントを決定するアライナーシステム（８０，８２，８４，８６）をさらに備える請求項１のシステム。
【請求項１３】  投影光学システム（１２，１４，１６，１８）は、眼（４０）の中心軸に対してある角度で干渉性の光を眼中に供給するようにした請求項１のシステム。
【請求項１４】  波面センサと眼（４０）との間に追加の光学システム（５１）をさらに備える請求項１のシステム。
【請求項１５】  眼（４０）の網膜上に供給される干渉性の光のパワーを監視するパワーモニタ（４６）をさらに備える請求項１のシステム。
【請求項１６】  眼（４０）に投影されたターゲット（９０）と、眼（４０）を検知する位置検出器（８６）と、眼（４０）が波面センサ（５０）上で合焦となるまで、眼（４０）を基準として波面分析システムの位置を調整する調整システム（７２）とを含む眼位置検出システムをさらに備える請求項１のシステム。
【請求項１７】  前補正システム（３０）は、シリンドリカル望遠鏡である請求項１のシステム。
【請求項１８】  前補正システム（３０）で用いられる構成部品は、結像システム（３０）でも用いられるようにした請求項１のシステム。
【請求項１９】  前補正システムは、前補正システム（３０）によって供給されるべき適切な前補正を決定するフィードバックループ（６０，６８，７２）を含む請求項１のシステム。
【請求項２０】  前記フィードバックループ（６０，６８，７２）は、網膜からの戻り光を受ける検出器（６０）と、検出光と所望な特性の光とを比較して、比較結果に従って前補正システムの少なくとも１つのパラメータを調整するプロセッサ（６８）とを含むようにした請求項１９のシステム。
【請求項２１】  前記フィードバックループは、網膜からの光を集めるための戻り光学システム（３０）をさらに含むようにした請求項２０のシステム。
【請求項２２】  前記戻り光学システム（３０）は、前記前補正システム（３０）を含むようにした請求項２１のシステム。
【請求項２３】  前記所望な特性は、網膜上で最小化されたスポットサイズである請求項２０のシステム。
【請求項２４】  前記望遠鏡（３０）は、望遠鏡の固定レンズ（３４）が眼（４０）から一方の焦点距離だけ離れるように配置されるようにした請求項５のシステム。
【請求項２５】  波面センサ（５０）は、最適な望遠鏡位置を見つけるために用いるようにした請求項２２のシステム。
【請求項２６】  波面センサ（５０）は、範囲制限絞り（３６）とともに用いられ、波面センサ（５０）が、波面センサ（５０）のダイナミックレンジ内にあるデータだけを見るようにした請求項２２のシステム。
【請求項２７】  望遠鏡位置の収束を最適化するために、フィルタリングアルゴリズムが用いられる請求項２２のシステム。
【請求項２８】  眼（４０）の波面収差を決定するための波面分析システムであって、
眼（４０）の網膜上で光スポット像を受けるように構成され、光スポットの空中像を作成するための小型レンズアレイ（１１２）と、
小型レンズアレイ（１１２）から空中像を受けるように構成されたセンサ（１１６）と、
空中像に対応したセンサ（１１６）からの信号を受けて、該信号から波面収差を決定するように構成されたプロセッサ（６８）と、
小型レンズアレイ（１１２）からの空中像をセンサ（１１６）上で結像させるのを支援するように構成された調整カメラ（６０）とを備える波面分析システム。
【請求項２９】  空中像を結像させるのを支援するように構成された焦点調整レンズシステム（３０）をさらに備える請求項２８の波面分析システム。
【請求項３０】  波面センサの光路中に、波長板（２２）をさらに備える請求項２８の波面分析システム。
【請求項３１】  波長板（２２）は、４分の１波長板である請求項３０の波面分析システム。
【請求項３２】  波面センサの光路中に、偏光ビームスプリッタ（２２）をさらに備える請求項２８の波面分析システム。
【請求項３３】  調整カメラ（６０）が受けた光スポット像の全体像部分を反射するように構成された偏光ビームスプリッタ（６２）をさらに備える請求項２８の波面分析システム。
【請求項３４】  小型レンズアレイ（１１２）は、小型レンズカメラ（５０）と連結しており、調整カメラ（６０）は、小型レンズカメラ（５０）から分離している請求項２８の波面分析システム。
【請求項３５】  空中像を形成するために、網膜に光を供給するように構成された光源（１２）をさらに備える請求項２８の波面分析システム。
【請求項３６】  光源（１２）は、レーザを含む請求項３５の波面分析システム。
【請求項３７】  光源（１２）は、パルスレーザを含む請求項３５の波面分析システム。
【請求項３８】  波面センサ（５０）は、眼（４０）の波面収差を測定するように構成されている請求項２８の波面分析システム。
【請求項３９】  調整カメラ（６０）は、空中像を鮮鋭化するのを支援するように構成されている請求項２８の波面分析システム。
【請求項４０】  調整カメラ（６０）が空中像の合焦を支援する際に、患者が凝視して結像できるように構成された眼固定ターゲット（９０）をさらに備える請求項２８の波面分析システム。
【請求項４１】  光スポット像は、網膜から後方散乱した光の像を含む請求項２８の波面分析システム。
【請求項４２】  患者が遠近調節なしで凝視できるように構成された眼固定ターゲット（９０）をさらに備える請求項２８の波面分析システム。
【請求項４３】  患者が無限遠で結像できるように構成された眼固定ターゲット（９０）をさらに備える請求項２８の波面分析システム。
【請求項４４】  固定ターゲットは、眼に対して遠方に見える物体像を含む請求項２８の波面分析システム。
【請求項４５】  固定ターゲット（９０）は、眼の遠近調節なし状態を維持するように構成されている請求項２８の波面分析システム。
【請求項４６】  患者が遠近調節なしで無限遠で結像できるように構成された眼固定ターゲット（９０）をさらに備える請求項２８の波面分析システム。
【請求項４７】  患者が少ない遠近調節とともに無限遠で結像できるように構成された眼固定ターゲット（９０）をさらに備える請求項２８の波面分析システム。
【請求項４８】  空中像の合焦を支援するように構成された調整デバイス（７２）をさらに備える請求項２８の波面分析システム。
【請求項４９】  眼（４０）の波面収差を決定するための波面分析システムであって、
眼（４０）の網膜から後方散乱した光の像を受けて、光スポットの中空像を作成するための小型レンズアレイ（１１２）と、
小型レンズアレイ（１１２）から空中像を受けるように構成されたセンサ（１１６）と、
空中像に対応したセンサ（１１６）からの信号を受けて、該信号から波面収差を決定するように構成されたプロセッサ（６８）と、
小型レンズアレイ（１１２）からの空中像をセンサ（１１６）上で結像させるのを支援するように構成された調整カメラ（６０）とを備える波面分析システム。
【請求項５０】  空中像を形成するために、網膜に光を供給するように構成されたパルスレーザ（１２）をさらに備える請求項４９の波面分析システム。
【請求項５１】  重心を形成する空中像を作成する波面分析システムを合焦させる方法であって、
重心の間隔を監視するステップと、
波面分析システムの合焦を調整するステップと、
平均重心間隔が、結像したセンサの重心間隔と等しくなる場合を決定することによって、波面分析システムが合焦状態にある場合を決定するステップと、を含む方法。
【請求項５２】  眼（４０）の網膜上で光スポット像を受けるように構成され、光スポットの空中像を作成するための小型レンズアレイ（１１２）と、
小型レンズアレイ（１１２）から空中像を受けるように構成されたセンサ（１１６）と、
波面センサの合焦を調整する合焦光学系（３０）と、
空中像に対応したセンサ（１１６）からの信号を受けて、該信号から波面収差を決定するように構成されたプロセッサ（６８）と、
コンピュータ上で実行されるステップを実施することによって、波面センサの合焦を調整する合焦制御システム（６８，７２）とを備え、
前記ステップは、空中像の間隔を監視するステップと、
波面センサの合焦を調整するステップと、
空中像の平均間隔が、結像したセンサの空中像間隔と等しくなる場合を決定することによって、波面センサ（１１６）が合焦状態にある場合を決定するステップを含む波面分析システム。
【請求項５３】  合焦制御システムは、プロセッサ（６８）を使用する請求項５２の波面分析システム。